(57)【要約】【課題】撮像装置本体の接眼部に対して容易に着脱が可能であり、一方で、ユーザが意図していないときには外れ難いアイカップを簡易な構成で提供する。【解決手段】樹脂と弾性材料とが二色成形されたアイカップ１０７は、ビデオカメラ１００の接眼部１０９と嵌合する樹脂部２０２と、外観部となるエラストマ部２０１とを有し、樹脂部２０２は、対向する２つの側壁部と、２つの側壁部を繋ぐ弾性部２１２と、側壁部の内側側面において対向するように設けられ、接眼部１０９に形成された２カ所の嵌合凸部３０１と嵌合する２カ所の嵌合凹部２１１と、２つの側壁部の接眼側の端面の外側に設けられた２カ所の突起部２１３とを備える。２カ所の突起部２１３を互いに近付ける方向に力を加えたときに、弾性部２１２に生じる撓みによって嵌合凹部２１１が嵌合凸部３０１から離れて嵌合凹部２１１と嵌合凸部３０１との嵌合が解除される構造とする。【選択図】図４
2014044309.tif 000002
【特許請求の範囲】
【請求項１】
撮像装置の接眼部に着脱可能なアクセサリユニットであって、
樹脂と弾性材料との二色成形により成形された、前記樹脂からなり前記接眼部に当接する樹脂部と、前記弾性材料からなる外観部とを有し、
前記樹脂部は、
対向する２つの側壁部と、
前記２つの側壁部の間の少なくとも一部に形成される弾性部と、
前記側壁部の内側側面において対向するように設けられ、前記接眼部に形成された凸部もしくは凹部のいずれか一方である２カ所の第１嵌合部とそれぞれ嵌合する凸部もしくは凹部のもう一方である２カ所の第２嵌合部と、
前記２つの側壁部の接眼側の端面よりも撮影者側に設けられた２カ所の突起部とを備え、
前記２カ所の突起部を互いに近付ける方向に力を加えたときに、前記弾性部に生じる撓みによって前記第２嵌合部が前記第１嵌合部から離れて前記第２嵌合部と前記第１嵌合部との嵌合が解除されることを特徴とするアクセサリユニット。
【請求項２】
前記突起部は、前記接眼部の側壁よりもアクセサリユニットの装着方向と直交する方向に突出していることを特徴とする請求項１のアクセサリユニット。
【請求項３】
前記アクセサリユニットに目を押し当てることによって前記突起部に力が掛かったときに、前記第２嵌合部には、前記第１嵌合部から離れる方向とは反対の方向に荷重が掛かることを特徴とする請求項１乃至４のいずれか１項に記載のアクセサリユニット。
【請求項４】
前記２つの側壁部はそれぞれ、一定間隔で前記アクセサリユニットの装着方向と平行に形成されたスリット部を有し、
前記側壁部は前記スリット部に挟まれた部分であり、前記側壁部に前記第２嵌合部及び前記突起部が設けられていることを特徴とする請求項１乃至３のいずれか１項に記載のアクセサリユニット。
【請求項５】
前記外観部は、前記スリット部に弾性部材が充填され、前記弾性部を形成することを特徴とする請求項４記載のアクセサリユニット。
【請求項６】
アクセサリユニットと当該アクセサリユニットが着脱可能な接眼部を備える撮像装置からなる撮像システムであって、
前記接眼部は、凸部もしくは凹部のいずれか一方である２カ所に設けられた第１嵌合部を有し、
前記アクセサリユニットは、樹脂と弾性材料との二色成形により成形された、前記樹脂からなり前記接眼部に当接する樹脂部と、前記弾性材料からなる外観部とを有し、
前記樹脂部は、
対向する２つの側壁部と、
前記２つの側壁部の間の少なくとも一部に形成される弾性部と、
前記側壁部の内側側面において対向するように設けられ、前記接眼部に形成された前記２カ所の第１嵌合部とそれぞれ嵌合する凸部もしくは凹部のもう一方である２カ所の第２嵌合部と、
前記２つの側壁部の接眼側の端面の外側に設けられた２カ所の突起部とを備え、
前記２カ所の突起部を互いに近付ける方向に力を加えたときに、前記弾性部に生じる撓みによって前記第２嵌合部が前記第１嵌合部から離れて前記第２嵌合部と前記第１嵌合部との嵌合が解除されることを特徴とする撮像システム。
【発明の詳細な説明】
【技術分野】
【０００１】
本発明は、撮像装置等の接眼部に着脱可能なアクセサリユニットの構造に関する。
【背景技術】
【０００２】
撮像装置本体の接眼部（接眼枠）に取り付けられるアクセサリユニット（アイカップ）は、撮影者がファインダを覗くときに外光が入射して視界を妨げることを防止する。外光の入射を防ぐためにアイカップに目の周囲を押し当てて使用する場合が多く、そのため、アイカップは、肌への当たり（触り）を柔らかくするために、ゴムやエラストマ等の弾性部材で形成されていることが多い。また、撮像装置本体の接眼部に対しては、通常よりも外光を遮断しやすくするために大きなアイカップに付け替えたり、ファインダの視度を調整するために補正レンズ（アクセサリの一つ）を装着したりする場合がある。そのため、撮像装置本体の接眼部とアイカップ等のアクセサリとは、着脱が容易な構成であることが望ましい。その一方で、撮像装置をカメラバックに入れている間やカメラバックから取り出すとき等に、ユーザの意図に反してアイカップが外れてしまう等の事態が生じることは避けなければならない。
【０００３】
そこで、撮像装置本体の接眼部に対して容易に着脱が可能であり、ユーザの意図に反して外れることのないアクセサリユニットが提案されている（特許文献１参照）。具体的には、特許文献１に記載されたアクセサリユニットは、接眼部の両側面に形成された溝のそれぞれに係合する一対の係合爪部と、この一対の係合爪部をつなぎ、弾性変形することで係合爪部を変位させる弾性部とを有する係合部材を備える。また、このアクセサリユニットは、ユーザの操作により係合爪部と接眼部との係合を解除する方向に係合爪部を変位させるように弾性部を弾性変形させる操作部を有する。更に、このアクセサリユニットは、操作部が操作されることなく接眼部に装着されたアクセサリユニットに対して装着方向とは反対方向の力が加わるときには、弾性部をアクセサリユニットの装着方向とは反対の方向に押圧する押圧部とを有する。そして、押圧部をアクセサリユニット本体に一体的に形成して、弾性部を押圧すると係合爪部と接眼部とが係合する方向に係合爪部が変位するように弾性部を弾性変形させている。
【先行技術文献】
【特許文献】
【０００４】
【特許文献１】特許第４２９８７５６号公報
【発明の概要】
【発明が解決しようとする課題】
【０００５】
しかしながら、上記特許文献１に記載されたアクセサリユニットは、係合爪部や弾性部を有する係合部材と、爪部の係合を解除する操作部材とを使用しており、また、目に押し当てる部分に配置する弾性部材やアクセサリユニットの構造を保持するための保持部材等を必要とする。そのため、部品点数が多く、組立工数が増えてしまうという問題がある。
【０００６】
本発明は、撮像装置本体の接眼部に対して容易に着脱が可能であり、一方で、ユーザが意図していないときには外れ難いアクセサリユニットを簡易な構成で提供することを目的とする。
【課題を解決するための手段】
【０００７】
本発明に係る撮像装置の接眼部に着脱可能なアクセサリユニットであって、樹脂と弾性材料との二色成形により成形された、前記樹脂からなり前記接眼部に当接する樹脂部と、前記弾性材料からなる外観部とを有し、前記樹脂部は、対向する２つの側壁部と、前記２つの側壁部の間の少なくとも一部に形成される弾性部と、前記側壁部の内側側面において対向するように設けられ、前記接眼部に形成された凸部もしくは凹部のいずれか一方である２カ所の第１嵌合部とそれぞれ嵌合する凸部もしくは凹部のもう一方である２カ所の第２嵌合部と、前記２つの側壁部の接眼側の端面よりも撮影者側に設けられた２カ所の突起部とを備え、前記２カ所の突起部を互いに近付ける方向に力を加えたときに、前記弾性部に生じる撓みによって前記第２嵌合部が前記第１嵌合部から離れて前記第２嵌合部と前記第１嵌合部との嵌合が解除されることを特徴とする。
【発明の効果】
【０００８】
本発明によれば、撮像装置本体の接眼部に対して容易に着脱が可能であり、一方で、ユーザが意図していないときには外れ難いアクセサリユニットを簡易的な構成にて実現することができる。
【図面の簡単な説明】
【０００９】
【図１】本発明の実施形態に係るレンズ交換式のデジタルビデオカメラの正面側斜視図及び背面側斜視図である。
【図２】図１のデジタルビデオカメラに装着される第１実施形態に係るアイカップの構造及びアイカップの構成部品を単体で示す斜視図である。
【図３】図１のデジタルビデオカメラの接眼部に対してアイカップを装着する際の動作及びアイカップの変形の態様を示す図である。
【図４】図１のデジタルビデオカメラの接眼部からアイカップを取り外す際の動作及びアイカップの変形の態様を示す図である。
【図５】図１のデジタルビデオカメラに装着される第２実施形態に係るアイカップの構造及びアイカップの構成部品を単体で示す斜視図である。
【発明を実施するための形態】
【００１０】
以下、本発明の実施の形態について、添付図面を参照して詳細に説明する。ここでは、撮像装置の一例として、レンズ交換式のデジタルビデオカメラ（以下「ビデオカメラ」という）を取り上げることとするが、本発明はこれに限定されるものではない。
【００１１】
＜第１実施形態＞
［ビデオカメラ１００の構成］
図１は、本発明の実施形態に係るビデオカメラ１００の外観斜視図であり、図１（Ａ）は正面側斜視図であり、（Ｂ）は背面側斜視図である。ビデオカメラ１００の本体（以下「カメラ本体」という）は、カメラ本体に対して交換レンズ１０１を装着するレンズマウント１０２を備える。レンズマウント１０２に対しては、様々な種類のレンズの取り付け／取り外しが可能であり、レンズ交換により撮像光学系の選択の幅を広げることができる。
【００１２】
カメラ本体には、ハンドル部１０３と、グリップ部１０４が設けられている。ハンドル部１０３は、例えば、運搬時やローアングル撮影時にユーザが把持する部位であり、グリップ部１０４は、例えば、ハイアングル撮影時や通常撮影時にユーザが把持する部位である。これらハンドル部１０３とグリップ部１０４により、様々な撮影状態に対してビデオカメラ１００を適切な姿勢で保持することができるようになっている。
【００１３】
また、カメラ本体には、電源スイッチ１０５と、液晶パネル１０６と、アイカップ１０７（第１実施形態に係るアクセサリユニット）と、ビューファインダ（本実施形態においては電子ビューファインダ（ＥＶＦ））１０８と、接眼部１０９とを備える。電源スイッチ１０５は、ビデオカメラ１００の電源のオン／オフを切り替えるためのスイッチである。ビデオカメラ１００の電源がオン状態にあるときに、交換レンズ１０１によって取得された光学情報はＣＣＤ或いはＣＭＯＳ等の撮像センサとＣＰＵ（共に不図示）によって画像データに変換され、液晶パネル１０６とビューファインダ１０８に画像が表示される。こうして、ビデオカメラ１００の撮影者（使用者）は、液晶パネル１０６或いはビューファインダ１０８を通して、映像を確認することができる。ビデオカメラ１００では、ビューファインダ１０８の周囲を覆う外装カバーに接眼部１０９が設けられており、接眼部１０９に覆い被さるようにアイカップ１０７が装着されている。
【００１４】
［アイカップ１０７の構造］
アイカップ１０７の構造について、カメラ本体の接眼部１０９から取り外された状態を示す図２を参照して説明する。図２は、アイカップ１０７の構造を単体で示す斜視図である。
【００１５】
図２（Ａ）は、アイカップ１０７を内側（ビューファインダ１０８側）から見た斜視図である。アイカップ１０７は、二色成形により成形されており、主に外観に露出する外観部は、エラストマによって形成された弾性部としてのエラストマ部２０１となっており、エラストマ部２０１の内側は樹脂によって形成された樹脂部２０２となっている。アイカップ１０７が接眼部１０９に取り付けられたとき、樹脂部２０２が接眼部１０９に当接する。
【００１６】
アイカップ１０７は、外光を遮光するために撮影者が目の周囲を押しあてて使用する場合が多いため、アイカップ１０７の外観部をエラストマのような比較的柔らかい弾性材料で形成することにより、肌への当たりを柔らかくしている。また、外観部であるエラストマ部２０１以外の部分（アイカップ１０７の骨格を形成する部分）を適度な硬さを有する樹脂材料で形成することにより、組立時の摺動具合や係合爪部の嵌合具合（詳しくは後述する）を良好なものとしている。なお、エラストマや樹脂の材質は、エラストマ（弾性部材）よりも樹脂部２０２の部材の方が剛性が高ければ、例えば、金属や木材のような材質であっても、二色成形が可能な限りにおいて、適宜、周知の材料から選択することができる。
【００１７】
図２（Ｂ）は、アイカップ１０７の樹脂部２０２のみを内側（ビューファインダ１０８側）から見て示す斜視図であり、図２（Ｃ）は、アイカップ１０７の樹脂部２０２のみを接眼側（撮影者が目を近づける側）から見た斜視図である。
【００１８】
アイカップ１０７の樹脂部２０２は、全体としてファインダ窓の四辺のうち三辺（この場合は下側以外の三辺）に相当する部分を覆うような略Ｕ字形状を有している。図２（Ｂ），（Ｃ）の左右方向を構成する側壁部に対して、側壁部を繋ぐ弾性部２１２が撓むことによって、Ｕ字先端（Ｕ字の開口）の幅Ｌ０が広がることのできる構造となっている。また、側壁部の内側側面（内壁）には、カメラ本体に設けられた接眼部１０９の側面に形成された第１嵌合部である２カ所の嵌合凸部３０１（詳細は後述する）と嵌合する第２嵌合部である２カ所の嵌合凹部２１１（詳細は後述する）が、互いに対向するように形成されている。
【００１９】
更に、嵌合凹部２１１が設けられている側壁部の接眼側の端面の外側（撮影者側）には、ビューファインダ１０８の光軸方向に突出すると共に図２（Ｃ）の左右方向に突出する突起部２１３が形成されている。２カ所の突起部２１３は、アイカップ１０７を接眼部１０９から取り外す際に使用する部位であり、詳細は後述する。
【００２０】
樹脂部２０２のＵ字形状に切り欠かれた部分には、エラストマ部２０１（図２（Ａ）参照）の一部が充填されている。この充填部が弾性部２２１となっており、弾性部２２１は樹脂部２０２のＵ字先端の幅Ｌ０が広がった際に、幅Ｌ０が広がった長さ分だけ伸びることができる。逆に言えば、樹脂部２０２のＵ字先端の幅Ｌ０の広がりは、弾性部２２１が変形可能な範囲に制限される。
【００２１】
アイカップ１０７の外観部をエラストマ部２０１とすることで、樹脂部２０２をＵ字形状で構成してもデザインに悪影響を与えることはない。また、アイカップ１０７を二色成形により成形しているために部品点数は１点であり、組立工数を減らすことができる。
【００２２】
［接眼部１０９に対するアイカップ１０７の着脱］
接眼部１０９に対してアイカップ１０７を装着する際の動作について、図３を参照して説明する。図３は、接眼部１０９に対してアイカップ１０７を装着する際の動作及びアイカップ１０７の変形の態様を示す図である。
【００２３】
図３（Ａ）は、接眼部１０９に対するアイカップ１０７の装着方向を示す斜視図である。アイカップ１０７は、接眼部１０９に対して、図３（Ａ）中に示す矢印方向（ビューファインダ１０８の光軸方向に対して略平行な方向）に取り付けられる。接眼部１０９の両側側面には嵌合凸部３０１が形成されており（片側は不図示）、嵌合凸部３０１はアイカップ１０７の樹脂部２０２のＵ字形状両側に形成された嵌合凹部２１１と嵌合する。これにより、アイカップ１０７は接眼部１０９に固定される。
【００２４】
図３（Ｂ）〜（Ｄ）は、接眼部１０９に対してアイカップ１０７を装着する際のアイカップ１０７の変形の態様を示す断面図であり、アイカップ１０７と接眼部１０９のみを接眼部１０９に形成された２カ所の嵌合凸部３０１を通る断面で簡易的に示している。図３（Ｂ）はアイカップ１０７の固定前の状態を、図３（Ｃ）は固定途中の状態を、図３（Ｄ）は固定後の状態をそれぞれ示している。
【００２５】
アイカップ１０７は、嵌合位置（嵌合凸部３０１と嵌合凹部２１１とが嵌合する位置）に到達するまでは、接眼部１０９の外形に沿って装着方向に嵌められていく（図３（Ｂ））。アイカップ１０７の先端が高さＬ１の嵌合凸部３０１に到達すると、アイカップ１０７の内壁が嵌合凸部３０１に乗り上げ、その状態で更に装着方向に嵌められていく。このとき、アイカップ１０７の樹脂部２０２の弾性部２１２が変形する。即ち、樹脂部２０２のＵ字形状の先端の幅は、接眼部１０９の両側の嵌合凸部３０１高さＬ１×２だけ伸びて、Ｌ０＋Ｌ１×２となっており、エラストマ部２０１の弾性部２２１も同等の変形量（嵌合凸部３０１高さＬ１×２）だけ伸びている（図３（Ｃ））。アイカップ１０７が更に装着方向に進むと、アイカップ１０７の嵌合凹部２１１と接眼部１０９の嵌合凸部３０１とが嵌合し、アイカップ１０７は接眼部１０９に固定される（図３（Ｄ））。このとき、樹脂部２０２のＵ字形状の先端の幅は、元の幅Ｌ０に戻っている。
【００２６】
次に、接眼部１０９からアイカップ１０７を取り外す際の動作について、図４を参照して説明する。図４は、接眼部１０９からアイカップ１０７を取り外す際の動作及びアイカップ１０７の変形の態様を示す図である。
【００２７】
図４（Ａ）は、接眼部１０９からアイカップ１０７を取り外す際のアイカップ１０７に対する撮影者の操作を示す斜視図である。接眼部１０９からアイカップ１０７を取り外す際には、アイカップ１０７の両側面の接眼部側（ビューファインダ１０８から最も離れた、撮影者が目を近付ける側）を摘まむ。
【００２８】
図４（Ｂ）は、図４（Ａ）に示す操作を行ったときのアイカップ１０７の変形の態様を示す断面図である。アイカップ１０７の両側面の接眼部側を摘まむと、アイカップ１０７の樹脂部２０２に形成された突起部２１３には、図４（Ｂ）中の矢印Ｆ方向（突起部２１３同士を互いに近付ける方向）の力が掛かる。ここで、突起部２１３は、接眼部１０９の側壁（つまり、アイカップ１０７の側壁部の内壁）よりも、アイカップ１０７の装着方向と直交する方向（図２（Ｃ）の左右方向）に突出するように形成されている。そのため、アイカップ１０７は、図４（Ｂ）中の支点を中心として、アイカップ１０７の嵌合凹部２１１が接眼部１０９の嵌合凸部３０１から離れるように変形する。そして、嵌合凹部２１１が嵌合凸部３０１から高さＬ１だけ変位すると、嵌合凹部２１１と嵌合凸部３０１との嵌合が解除され、ビューファインダ１０８の光軸方向にアイカップ１０７を接眼部１０９から引き抜くことができるようになる。なお、この支点は接眼部１０９の左右の角部のことであり、具体的には嵌合凸部３０１を有する面とビューファインダ１０８を有する面とで成す辺（角部）である。
【００２９】
このようなアイカップ１０７と接眼部１０９の構造によれば、アイカップ１０７に目を押し付けたときには、突起部２１３に対してビューファインダ１０８の光軸方向に力が掛かるため、図４（Ｂ）中の支点を中心として嵌合が外れる方向とは反対の方向に荷重が掛かる。そのため、嵌合凹部２１１と嵌合凸部３０１との嵌合が外れることはない。
【００３０】
なお、嵌合凹部２１１と嵌合凸部３０１は、嵌合部の一方が凹部で嵌合部のもう一方が凸部であればよい。即ち、凹部と凸部が逆の場合のように、２１１が凸部であり、３０１が凹部となっていても構わない。
【００３１】
以上の説明の通り、第１実施形態に掛かるアイカップ１０７では、撮影者が意図的にアイカップ１０７の両側面の接眼部側（突起部２１３周辺）を摘まんだときには接眼部１０９から容易に取り外すことができる。一方で、撮影者がアイカップ１０７の両側面の接眼部側（突起部２１３周辺）以外を持って引っ張ったとしても、２つの嵌合部によって嵌合しているので不用意には外れない構造となっている。
【００３２】
＜第２実施形態＞
第２実施形態に係るアイカップ５００は、第１実施形態で説明したビデオカメラ１００の接眼部１０９に対して着脱可能に構成される。図５は、アイカップ５００の構造を示す斜視図であり、図５（Ａ）はアイカップ５００を内側（ビューファインダ１０８側（接眼部１０９に装着された状態における交換レンズ１０１側））から見た斜視図である。アイカップ５００は、第１実施形態に係るアイカップ１０７と同様に、二色成形により形成されている。アイカップ５００において、主に外観に露出する外観部は、エラストマによって形成されたエラストマ部５０１となっており、エラストマ部５０１の内側は、樹脂によって形成された樹脂部５０２となっている。なお、樹脂及びエラストマの材料選択は、第１実施形態に準ずる。
【００３３】
図５（Ｂ）は、アイカップ５００の樹脂部５０２のみを内側（ビューファインダ１０８側）から見て示す斜視図である。樹脂部５０２は全体的に略ロ字形状を有しており、すなわち、ファインダ窓の四辺のうち全辺を覆うに形成されている。樹脂部５０２の内側側面（内壁）には、接眼部１０９の両側側面に設けられた嵌合凸部３０１に嵌合する嵌合凹部５２１（片側不図示）が設けられている。また、樹脂部５０２には、嵌合凹部５２１を挟み、概ねビューファインダ１０８の光軸方向（アイカップ５００の装着方法）に沿うように、一定間隔で片側２カ所ずつ合計４カ所のスリット部５２４が形成されている。これにより、嵌合凹部５２１を含むスリット部５２４に挟まれた部分、すなわち側壁部５２２は、その根元（接眼部１０９の左右の角部、すなわち嵌合凸部３０１を有する面とビューファインダ１０８を有する面とで成す辺）を支点として、図５（Ｂ）の左右方向に撓むことができる。したがって、嵌合凹部５２１が接眼部１０９の嵌合凸部３０１に嵌合する際に、側壁部５２２が両側の嵌合凸部３０１の高さＬ１分（Ｌ１×２）だけ撓む。
【００３４】
側壁部５２２（嵌合凹部５２１を含むスリット部５２４に挟まれた部分）の接眼側の端面の外側には、ビューファインダ１０８の光軸方向に突出すると共に図５（Ｂ）の左右方向に突出する突起部５２３が形成されている。突起部５２３は、第１実施形態に係るアイカップ１０７の樹脂部２０２の突起部２１３と同様に、アイカップ５００を接眼部１０９から取り外す際に使用される部位である。突起部２１３もまた、側壁部（嵌合凹部５２１を含むスリット部５２４に挟まれた部分）に形成することができる。
【００３５】
アイカップ５００の樹脂部５０２に形成されたスリット部５２４は、エラストマ部５０１のスリット充填部５１１によって充填されている。そして、スリット充填部５１１は、側壁部５２２が接眼部１０９の嵌合凸部３０１の高さ分（Ｌ１×２）撓んだ際に伸びることができる。
【００３６】
よって、アイカップ５００は、第１実施形態に係るアイカップ１０７と同様に、撮影者が意図的にアイカップ５００の両側面の接眼部側（突起部５２３周辺）を摘まむことにより接眼部１０９から容易に取り外すことができる構造となっている。このとき、樹脂部５０２において突起部５２３が側壁部５２２の近傍に形成されているため、アイカップ５００を接眼部１０９から取り外す際の力を効率的に伝えることができる。そして、アイカップ５００は、接眼部１０９に装着された状態では、撮影者がアイカップ１０７の両側面の接眼部側（突起部５２３周辺）以外を持って引っ張ったとしても、２つの嵌合部によって嵌合しているので不用意には外れない構造となっている。
【００３７】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。たとえば、本実施形態はレンズ交換式デジタルビデオカメラを例にとって説明してきたが、他の撮像システム、たとえばデジタル一眼レフカメラであってもよい。また、アイカップが取り付けられる撮像装置であればレンズ交換式のデジタルカメラに限られず、また双眼鏡や望遠鏡などの光学機器に取り付けられても構わない。
【符号の説明】
【００３８】
１００    ビデオカメラ（レンズ交換式デジタルビデオカメラ）
１０７，５００    アイカップ（アクセサリユニット）
１０８    ビューファインダ
１０９    接眼部
２０１，５０１    エラストマ部
２０２，５０２    樹脂部
２１１，５２１    嵌合凹部       
２１２，５２２    側壁部
２１３，５２３    突起部
２２１    弾性部
３０１    嵌合凸部
５１１    スリット充填部
５２４    スリット部
【図１】
2014044309.tif 000003
【図２】
2014044309.tif 000004
【図３】
2014044309.tif 000005
【図４】
2014044309.tif 000006
【図５】
2014044309.tif 000007